(57)【特許請求の範囲】
【請求項１】
４つの壁（１ａ乃至１ｄ）、頂部（２）及び底部（３）を備え、内側天井（４）及び内側底面（５）を形成する運送貨物コンテナであって、
少なくとも１つの負荷支持部（６；２１）が、内側天井（４）及び内側底面（５）の間に配置され、該負荷支持部は、前記コンテナ内に搭載されるべき貨物（７）を、該負荷支持部（６；２１）に対して少なくとも一つの方向に支持することができるように該貨物（７）に対して移動可能であり、
前記運送貨物コンテナは、該コンテナに対して前記負荷支持部（６；２１）を係止させるための構成（１４，１５）を備えており、
前記負荷支持部（６；２１）は前記コンテナの前記内側底面（５）に係止され、前記負荷支持部（６；２１）を前記内側天井に係止させるための構成（１４，１５）は係止装置（１５）を備え、前記係止装置（１５）は前記負荷支持部（６；２１）に枢動可能に取り付けられ、前記内側天井（４）に配置され、前記内側天井（４）に係止され、
前記コンテナは、前記負荷支持部（６；２１）が前記貨物（７）に対して押圧するように該貨物（７）に対して該負荷支持部（６；２１）を押し付けるための構成部（１０）を備えると共に、該負荷支持部（６；２１）を押し付けるための構成部（１０）は、該負荷支持部（６；２１）が前記貨物（７）の上部に対して押すように、該負荷支持部（６；２１）の上端部を該貨物（７）に対して移動させるべく構成されており、
該貨物に対して該負荷支持部（６；２１）を押し付けるための構成部（１０）は、該負荷支持部（６；２１）が、最初に前記コンテナに対して該負荷支持部（６；２１）を係止させるための前記構成（１４，１５）を用いて適所に係止され、次に、該負荷支持部（６；２１）が、該貨物に対して該負荷支持部（６；２１）を押し付けるため前記構成部（１０）を用いて押圧されて該貨物（７）の上部を押すようにしたことを特徴とする、運送貨物コンテナ。
【請求項２】
複数の負荷支持部（６；２１）を含んでおり、これらの負荷支持部が、前記貨物（７）が対向する負荷支持部（６；２１）の間の適所に保持されるように、該貨物（７）の少なくとも２つの対向する側部に移動可能であることを特徴とする、請求項１に記載の運送貨物コンテナ。
【請求項３】
少なくとも１つのレイル（８）等を含み、少なくとも１つの負荷支持部（６；２１）が前記レイル（８）に沿って移動可能であることを特徴とする、請求項１に記載の運送貨物コンテナ。
【請求項４】
前記内側天井（４）に前記レイル（８）を備えることを特徴とする、請求項３に記載の運送貨物コンテナ。
【請求項５】
前記内側底面（５）に前記レイル（８）を備えることを特徴とする、請求項３に記載の運送貨物コンテナ。
【請求項６】
前記内側天井（４）の前記レイル（８）及び前記内側底面（５）の前記レイル（８）は、前記内側天井（４）及び前記内側底面（５）の間の実質的に垂直位置に前記負荷支持部（６）が配置されることを可能にするように実質的に整列されていることを特徴とする、請求項４又は５に記載の運送貨物コンテナ。
【請求項７】
１つの側部（１ａ乃至１ｄ）と略平行である少なくとも１つのレイル（８）を備えることを特徴とする、請求項３乃至６のいずれか１項に記載の運送貨物コンテナ。
【請求項８】
互いに略垂直である少なくとも２つのレイル（８）を備えることを特徴とする、請求項７に記載の運送貨物コンテナ。
【請求項９】
巻き取り品（７）を始めとする柱状貨物を適所に保持するため、少なくとも１つの凹部（１１）、受け台を備えることを特徴とする、請求項１乃至８のいずれか１項に記載の運送貨物コンテナ。
【請求項１０】
前記受け台を、少なくとも１つのカバープレート（１２）で覆うことができ、該カバープレート（１２）上に該貨物（７）を配置できるようにしたことを特徴とする、請求項９に記載の運送貨物コンテナ。
【請求項１１】
前記負荷支持部（６；２１）は、前記カバープレートが前記凹部（１１）、受け台を覆うとき、該カバープレート（１２）に支持されることができることを特徴とする、請求項１０に記載の運送貨物コンテナ。
【請求項１２】
前記カバープレート（１２）がレイル（８）を含むことを特徴とする、請求項１１に記載の運送貨物コンテナ。
【請求項１３】
前記負荷支持部（６；２１）が前記凹部（１１）の底面及び前記内側天井（４）の間にあるように、該凹部（１１）内に前記負荷支持部（６；２１）を配置することができることを特徴とする、請求項９乃至１２のいずれか１項に記載の運送貨物コンテナ。
【請求項１４】
レイル（８）が前記凹部（１１）の前記底面内にあることを特徴とする、請求項１３に記載の運送貨物コンテナ。
【請求項１５】
前記負荷支持部（６）は細長いポールであることを特徴とする、請求項１乃至１４のいずれか１項に記載の運送貨物コンテナ。
【請求項１６】
前記負荷支持部（６）は可動壁であることを特徴とする、請求項１乃至１５のいずれか１項に記載の運送貨物コンテナ。
【発明の詳細な説明】
【発明の属する技術分野】
【０００１】
本発明は、４つの壁、頂部、底部を含んで内側天井及び内側底面を有する内部を形成する、運送貨物コンテナに関する。
【従来技術】
【０００２】
本文脈において、コンテナは、シーコンテナ、又は、例えばコンテナキャリアシップ、トレイン、トラック又は平底荷船によって貨物を輸送するように意図された型式の類似の大きな輸送リセプタクルを指す。本明細書を通して、コンテナへの参照は、上述された型式の運送荷物コンテナへの参照として受け取られるべきである。
【０００３】
重い貨物、例えば金属プレート及び延べ棒、積み重ね木材プレート等がコンテナ内に輸送されたとき、これらの貨物は、輸送又は貯蔵の間にコンテナ内で動くべきではない。これらの貨物がコンテナに損傷を及ぼしかねず、或いは、コンテナ内の貨物が損傷を受けかねないからである。１つのコンテナ内で輸送されるべき貨物は、例えば３０トンの重量を占め、これによって、コンテナ及び貨物の合計重量は例えば３５トンにもなる。
【０００４】
船が回動するときの移送の間に貨物が僅かにでさえ動くことを可能にする態様で該貨物がコンテナ内に固定されている場合、この動きは時間の経過と共に大きくなり、結局のところ、貨物の制御不能の動きへと至らしめ、上述した結果をもたらしてしまう。このため、貨物が輸送又は貯蔵の間のコンテナ内で動かないように、該貨物を固定することが非常に重要となる。
【０００５】
コンテナ内に貨物を固定するための様々な構成が以前より知られている。これらの構成では、重い貨物が硬い外皮を備えたコンテナ内に輸送され、木材等のパッキング材料が内壁と貨物との間に配置されている。これらの貨物は、例えば鎖でコンテナに固定されている。この既知の構成は、それが貨物を搭載するために大量の木材を使うという欠点を有する。貨物の体積がコンテナの体積と比べて小さい場合、かなりの量のパッキング材料が要求される。この既知の構成に関する別の欠点は、コンテナのサイズに対して、比較的大きいサイズの貨物をコンテナ内に固定することが困難であるということである。この理由は、コンテナの内壁と貨物との間にほとんどスペースが存在せず、例えば０．５ｍ以下でしかないため、搭載中に、搭載機を貨物の回りに全ての側に置くことが困難であるということである。このことは、貨物の固定機能を低下させることにつながる。或いは、貨物をコンテナに固定することが単に不可能であるため、周囲の状況により、その固定を劣化させた状態で実行せざるを得ない。
【０００６】
重い貨物が固定されるところの平坦面上で該重い貨物が輸送される構成も知られている。しかし、この種の平坦面は貨物を保護せず、その結果、船の荷物空間の外側では、該貨物をこの構成により輸送することができない。近年では、例えば輸送されるべき金属プレートのブランクの加工の度合いが増大してきたため、貨物の保護は、ますます重要になってきている。
【発明の開示】
【発明が解決しようとする課題】
【０００７】
本発明の目的は、上述された問題を解決することができる、運送貨物コンテナを提供することである。
【課題を解決するための手段】
【０００８】
上記課題は、少なくとも１つの負荷支持部が、内側天井及び内側底面の間に配置され、該負荷支持部は、コンテナ内に搭載されるべき貨物を、該負荷支持部に対して少なくとも一つの方向に支持することができるように該貨物に対して移動可能であることを特徴とする運送貨物コンテナによって達成される。
【０００９】
本発明の好ましい実施形態は、従属請求項で開示される。
【００１０】
本発明のコンテナは、貨物の背後に配置されるべき負荷支持部が、該貨物がコンテナ内に搭載される前に、適所に再配列／調整されることができるという利点を有する。従って、貨物をコンテナに固定するために該貨物の背後に回り込む必要がなく、該貨物は、フォークリフトトラックにより負荷支持部に対して該貨物を押し付けることによって簡単に適所へと押されていく。
【００１１】
本発明のコンテナは、該貨物をコンテナに指示するため、例えば、木材等のパッキング材料を必要としないという別の利点を有する。このことは材料を節約させる。
【００１２】
本発明のコンテナは、硬い外皮を備えたコンテナにおいて重い貨物の確実な固定を可能にするという更に別の利点を有する。
【発明の実施の形態】
【００１３】
図面は、４つの壁１ａ乃至１ｄ、頂部２及び底部３を含むコンテナを示している。壁１ａ乃至１ｄ、頂部２及び底部３は、内側天井４及び内側底面５を有する内部（参照番号によっては指示されていない）を一緒に形成する。図４は、４つの側部ドア１３を備えたコンテナを示している。図面のコンテナにおいては、側部ドア１３は、４つのコンテナ壁の少なくとも１つ、壁１ｄをほぼ完全に開放するように構成されている。これは、コンテナの積載及び積荷おろしを容易にする。
【００１４】
内側天井４と内側底面５との間には、少なくとも１つの負荷支持部６が設けられており、該負荷支持部は、貨物７を少なくとも一つの方向に負荷支持部６に対して支持することができるように、コンテナ内に積載されるべき貨物７に対して移動可能とされている。かくして、負荷支持部６は、コンテナの内壁（参照番号によっては指示されていない）からある距離のところにある。
【００１５】
より好ましくは、コンテナは、図面に示されるように、複数の負荷支持部６を含んでおり、これらの負荷支持部６は貨物７の少なくとも２つの対向し合う側部へと移動可能であり、対向し合う負荷支持部６の間の適所に該貨物が保持されるようにしている。図１は、貨物７の４つの側部（参照番号によっては指示されていない）上の適所に該貨物７を保持することができる、コンテナを示している。
【００１６】
図面は、少なくとも１つのレイル８等を含むコンテナを示しており、該レイル８に沿って負荷支持部６を移動させることができる。
【００１７】
図面のコンテナは、内側天井４内のレイル８と、内側底面５のレイル８と、を含んでいる。図２では、天井４のレイル８及び底面５のレイル８は、内側天井４内のレイル８と内側底面５のレイル８との間で略垂直位置に負荷支持部６を配置させることを可能にするように、ほぼ整列されている。
【００１８】
図面において、少なくとも２つのレイル８が互いに略垂直であるように、レイル８のうち幾つかは、壁１ａ及び１ｃと略平行であり、他のレイル８は、壁１ｂ及び１ｄと略平行である。その代わりに、コンテナは、壁１ａ−１ｄの任意のものと略平行であるレイル８と、壁１ａ−１ｄのうち任意のものと平行である方向から逸れる方向に走っているレイル８と、を備え付けることができる。これは、負荷支持部６が、貨物７の少なくとも２つの対向する側に容易な仕方で移動されることを可能にする。
【００１９】
本発明のコンテナは、有利には、例えば巻き取り品等、円柱形状の貨物を適所に保持するための、少なくとも１つの凹部１１、受け台等を含む。図３は、この種の６つの凹部１１を有するコンテナを示している。
【００２０】
平坦ベースを必要とする貨物７がコンテナで追加として又は単独で輸送されるべきとき、カバープレート１１等の上に貨物７を配置することが可能であるように凹部１１即ち受け台等を少なくとも１つのカバープレート１２等で有利に覆うことができる。図３は、各凹部１１即ち受け台等を２部品カバープレート１２で覆うことができる、コンテナを示している。
【００２１】
負荷支持部６は、カバープレートが凹部１１即ち受け台等を覆うとき、カバープレート１２等に有利に支持されることができる。カバープレート１２等は、レイル８（図面には図示せず）を有利に含んでいる。これらのレイルは、コンテナの長さ方向軸に沿って有利に走っている。この構成は、コンテナの長さ方向の適所に巻き取り品７を保持することを可能にしている。
【００２２】
負荷支持部６は、該負荷支持部６が凹部１１の底面（参照番号によっては指示されていない）と内側天井４との間にあるように、凹部１１に有利に配置されることができる。この種の有利な構成は、巻き取り品７が巻き取り中心（参照番号によっては指示されていない）から螺旋状に解きほぐされることを防止することを可能にする。一つの負荷支持部６は、該負荷支持部６が凹部１１の底面と内側天井との間に配置されるように、巻き取り品７のいずれかの側に有利に配置される。凹部１１の底面は、有利には、レイル８を含んでいる。これらの凹部１１の間にあるリッジ（参照番号によっては指示されていない）は、有利には、レイル８を含んでいる。
【００２３】
本発明のコンテナは、コンテナに対して負荷支持部６を係止させるための構成（参照番号によっては指示されていない）を有利に含んでいる。例えば、レイル８は、負荷支持部６のためのシート（参照番号によっては指示されていない）を、ほぼ均等に間隔を隔てられた状態で含んでいてもよい。負荷支持部６は、これらのシート内でコンテナに対して動かないように配置することができる。例えば、レイル８は、該レイルに交差するように取り付けられた鉄バー９、凹部等を等間隔に配置された状態で含むことができ、これによって負荷支持部６がレイル８に沿って動くことを防止する、図７では、上部レイル８は、等間隔に隔てられた凹部１４を含み、該凹部には、負荷支持部６の上端部を配置することができる。
【００２４】
本発明のコンテナは、負荷支持部６が貨物７によりかかるように、貨物７に対して該負荷支持部６を押し付けるための構成部１０を有利に含んでいる。貨物７に対して該負荷支持部６を押し付けるための前記構成部１０は、最初にコンテナに対して負荷支持部６を係止するため前記構成部を用いて負荷支持部６が適所に係止され、その後、負荷支持部６は、貨物７に対して該負荷支持部６を押し付けるための前記構成部１０を用いて押され、それが貨物７を押し付けるように作動するように構成することができる。貨物７の上側端部（参照番号によっては指示されていない）が動くことを可能にされないことが特に重要である。通常、貨物７の下側端部は置かれたようにそこに留まる。貨物７の重量がそれを適所に保持するからである。貨物７に対して負荷支持部６を押し付けるための前記構成部１０は、負荷支持部６が貨物７の少なくとも上部（参照番号によっては指示されていない）に対してよりかかるように、負荷支持部６の上端部を貨物７に対して移動させるべく有利に構成されている。貨物７に対して負荷支持部６を押し付けるための前記構成部１０は、天井のレール８で走るように構成され、負荷支持部６の上端部を配置することができる、例えば、キャリッジ（参照番号によっては指示されていない）を含んでいる。第１に、キャリッジは、レイル８に有利に係止させることができ、その次に、負荷支持部６の上端部を、負荷支持部６が貨物７に対して押し付けるように有利に移動させることができる。
【００２５】
図７では、上側レイルが、負荷支持部６の上端部を配置することができる多数の凹部１４を持つように、歯が形成された構成が示されている。負荷支持部の上端部が特定の凹部１４内に配置された後では、負荷支持部が貨物７の上端部に対してよりかかり、該貨物が２つの負荷支持部の間に押されるように、負荷支持部の上端部を、貨物７の方向に移動させることができる。図１０では、貨物７に対して負荷支持部６を押し付けるための前記構成部１０は、負荷支持部６と、上側レイル８の凹部１４内に配置されるようになった係止装置１５との間に配置されたねじ切りロッド１６を含んでいる。係止装置１５は、負荷支持部６に枢動可能に取り付けられている。負荷指示部６と、係止装置１５との間の角度（参照符号によっては指示されていない）を調整することによって、負荷支持部５の合計長さが変化し、負荷支持部６は貨物７に対して移動したり、そこから離れたりする。
【００２６】
貨物は、細長いポールからなる負荷支持部を示している。負荷支持部６は、有利には、例えばアルミニウムから作られている。
【００２７】
図７に示された負荷支持部６のうち幾つかは、２つの部品１７及び１８を含んで、はめ込み式となっている。負荷支持部の２つの部品は、一緒に作動する複数の孔１９が設けられており、該孔の中には、これらの部品が相互係止されるように、ピン２０を挿入することができる。ピン２０は、有利には、孔１９内のピン２０を係止させるための手段（図示せず）を含んでいる。
【００２８】
図５及び図６では、負荷支持部のうち幾つかが、コンテナの内側の各端部に配置された可動壁２１の形態にあるコンテナが示されている。そのような可動壁２１を用いて、パイプ又は類似の細長い貨物を、可動壁３２の間に押しやり、かくして適所に保持させることができる。図５及び図６のコンテナは、細長いパイプの形態の負荷支持部６も含んでいる。図５及び図６に示されたコンテナは、有利には、コンテナに関連して適所に可動壁２１を係止させるための構成部（図示せず）を含んでいる。図５及び図６に示されたコンテナは、有利には、貨物７に対して可動壁２１を押し付けるための構成部（図示せず）も含んでいる。前記構成部は、例えば、複数又は一つの可動壁２１と、コンテナとの間に配置されたストラップ（図示せず）を含んでいる。ストラップに張力をかけることによって、可動壁を負荷に対抗して移動させることができ、負荷物７は、可動壁の間で押圧される。
【００２９】
当業者にとって、技術が進歩するにつれて本発明の基本的アイディアを様々な仕方で実行することができることは明らかである。本発明及びその実施形態は、上述した例に限定されず、請求の範囲内で変更し得る。
【図面の簡単な説明】
【００３０】
【図１】図１は、上部ドア及び側部ドアを備えていないコンテナの上面図である。
【図２】図２は、側部ドアを備えていないコンテナの側面図である。
【図３】図３は、コンテナ内の適所に、柱状貨物を保持するため、底部に凹部を備えたコンテナを示す。
【図４】図４は、コンテナの概略図である。
【図５】図５は、上部ドア及び側部ドアを備えていないコンテナの上面図である。
【図６】図６は、側部ドアを備えていないコンテナの側面図である。
【図７】図７は、図１に示されたコンテナのラインＡ−Ａに沿って取られた断面図である。
【図１】
0005579684.tif 000002
【図２】
0005579684.tif 000003
【図３】
0005579684.tif 000004
【図４】
0005579684.tif 000005
【図５】
0005579684.tif 000006
【図６】
0005579684.tif 000007
【図７】
0005579684.tif 000008